(57)【要約】［課題］      テレビ信号やその他各種データ或いはこれらの複合データの信号を周波数帯域により分離分割し、分離されたそれら当該信号をスペクトル拡散により変調し、テレビ用同軸ケーブルを使って伝送し、端末へは有線内周波数帯域において送受信することができるようにした広域伝送通信システムを提供すること。［解決手段］  マンションやビル、病院、公共施設あるいは工場などにおいて、テレビアンテナとテレビの間に接続されたＴＶ用同軸ケーブルネットワーク上にてＳＡＷデバイスを介して、ＳＡＷコンボルバ方式によるスペクトル拡散処理を行い、信号を変調して、広域伝送通信システムを構築する。すなわち、新たに伝送用のケーブル敷設工事無く、新しい伝送路、広域伝送通信システムを経済的に構築することが可能となる。【選択図】    図１
2004312642.tif 000002
【特許請求の範囲】
【請求項１】
マンションやビル、病院、公共施設あるいは工場などにおいて、テレビアンテナとテレビの間に接続された同軸ケーブルネットワーク上に、ＳＡＷデバイスを介して、送信機能端末と受信機能端末を接続し、送信側においてＳＡＷコンボルバ方式によるスペクトル拡散処理を行って信号を拡散変調し、前記同軸ケーブル上に拡散信号を創出する一方で、受信機能端末においてＳＡＷデバイスを介してこの拡散変調信号を受信して復調し、デジタルデータを送受信する新たな広域伝送通信システムを構築する。
【請求項２】
前記同軸ケーブルに、ＳＡＷコンボルバ方式によるスペクトル拡散処理された信号を無線処理可能な１または不個数個のＳＡＷデバイス無線中継手段を接続して、前記送信機能端末および受信機能端末のうちすくなくともいずれか一方を無線端末として、前記ＳＡＷデバイス無線中継手段を介して前記同軸ケーブルに接続し、無線送信端末においてＳＡＷコンボルバ方式によるスペクトル拡散処理された拡散変調信号を、前記ＳＡＷデバイス無線中継手段を介して前記同軸ケーブル上に送出し、或いは無線受信端末において前記ＳＡＷデバイス無線中継手段を介して前記同軸ケーブルから拡散変調信号を受信して復調して、デジタルデータを送受信する広域伝送通信システムを構築する。
【請求項３】
前記同軸ケーブルにおいて、テレビ信号として使用されていない周波数領域、１１００ＭＨｚ以上の帯域において前記ＳＡＷデバイスによるＳＡＷコンボルバ方式にて、前記同軸ケーブルそれ自体が持つ伝送特性の伝送利得を高度に効率化し、おおよそ２０００ＭＨｚから、前記同軸ケーブルそれ自体に異なり２５００ＭＨｚ程度までの通信可能な伝送領域を確保する広域伝送通信システムを構築する。
【請求項４】
前記同軸ケーブルにおいて、テレビ信号と新たに確保した新しい周波数領域をも含めて、一点を基点としたツリー構造上のケーブル網においては、一般的には終端になればなるほど伝送特性が劣化するが、前記ＳＡＷデバイスによるＳＡＷコンボルバ方式にて、前記同軸ケーブルそれ自体が持つ伝送特性の伝送利得を高度に効率化し、伝送劣化を極度に抑える広域伝送通信システムを構築する。
【発明の詳細な説明】
【０００１】
［発明の属する技術分野］
本発明は、広域伝送通信システム、スペクトル拡散方式によって変調された信号を、同軸ケーブル回線を使って送受信する広域伝送通信システムに関するものである。
【０００２】
［従来の技術］
近年の通信技術の進歩に伴う新しい同軸広域伝送通信システム方式としては、既存に使用している信号の空き帯域を活用して新たな領域に狭域多重伝送方式を用いて帯域を確保するものである。
【０００３】
また、このスペクトル拡散方式による通信方式は携帯電話端末により音声などの信号をスペクトル拡散により変調してデジタル化し、無線信号として空中線方式により発信、受信することにより変調することに通話等を行うものである。
【０００４】
ＴＶ用同軸ケーブルにおいては、テレビ信号として使用され、周波数領域１１００ＭＨｚ帯域までにおいて狭域多重伝送を行っている。
【０００５】
［発明が解決しようとする課題］
しかしながら、このように従来のスペクトル拡散方式による伝送システムにおいては、空中線を使って無線送信端末から無線受信端末へ直接信号を送受するのみの形態で、同軸ケーブル使った広域伝送通信システムへの利用については、いままでに顧みられることはなかった。
【０００６】
本発明は上記従来の問題点を鑑みてなされたもので、その目的は、テレビ信号やその他各種データ或いはこれらの複合データの信号を周波数帯域により分離分割し、あるいはまた、分離されたそれら当該信号をスペクトル拡散により変調し、テレビ用同軸ケーブルを使って伝送し、端末へは有線内周波数帯域において送受信することができるようにした広域伝送通信システムを提供することである。
【０００７】
［課題を解決するための手段］
本発明は、上記目的を達成するために、マンションやビル、病院、公共施設あるいは工場などにおいて、テレビアンテナとテレビの間に接続されたＴＶ用同軸ケーブルネットワーク上に、送信端末および受信端末を、１１００ＭＨｚを境にテレビ信号ゾーンと複合データ通信ゾーンに分割し、当該領域の処理に対してＳＡＷデバイスを介して接続し、送信端末においてＳＡＷコンボルバ方式によるスペクトル拡散処理を行い、信号を変調して前記テレビアンテナとテレビの間に接続されたＴＶ用同軸ケーブルネットワーク上に信号を送出し、受信端末において前記拡散信号を受信して復調する広域伝送通信システムを構築することを要旨とする。
【０００８】
かかる構成により、ＴＶ用同軸ケーブルを使って一定の品質を保持しながらＴＶ信号と複合データ信号をあわせて送受信することができる。上記のごとく分割し拡張された帯域上のデータ伝送信号は、ＴＶ用同軸ケーブルの本来のＴＶ受信用機能を発揮するために接続された信号とは機能独立して送受信することができる。したがって、上記ＴＶ信号を受信し使用中であっても並行してデータの送受信伝送が可能である。これにより、マンションやビル、病院、公共施設あるいは工場などにおいて、新たに伝送用のケーブル敷設工事無く新しい伝送路、すなわち、広域伝送通信システムを経済的に構築することが可能となる。
【０００９】
［発明の実施の形態］
本発明の請求項１に記載の発明は、新たなデジタルデータを送受信する広域伝送通信システムを、マンションやビル、病院、公共施設あるいは工場などにおいて、テレビアンテナとテレビの間に接続された同軸ケーブルネットワーク上に、ＳＡＷデバイスを介して、送信機能端末と受信機能端末を接続し、送信側においてＳＡＷコンボルバ方式によるスペクトル拡散処理を行って信号を拡散変調し、前記同軸ケーブル上に拡散信号を創出する一方で、受信機能端末においてＳＡＷデバイスを介してこの拡散変調信号を受信して復調して広域伝送通信システムを実現して、ＴＶ用同軸ケーブルの用途を拡大し、また複雑な工事を伴う事無く伝送領域を広げるという作用を有する。
【００１０】
本発明の請求項２に記載の発明は、無線中継手段を介してＴＶ用同軸ケーブル上から拡散変調信号を受信して復調して、無線デジタルデータを送受信する新たな広域伝送通信システムを、ＳＡＷコンボルバ方式によるスペクトル拡散処理された信号を無線処理可能な１または不個数個のＳＡＷデバイス無線中継手段を接続して、前記送信機能端末および受信機能端末のうちすくなくともいずれか−を無線端末として、前記ＳＡＷデバイス無線中継手段を介して前記同軸ケーブルに接続し、無線送信端末においてＳＡＷコンボルバ方式によるスペクトル拡散処理された拡散変調信号を、前記ＳＡＷデバイス無線中継手段を介して前記同軸ケーブル上に送出し、或いは無線受信端末において拡散変調信号を受信して復調して、元来用途としては機能が無かった、ＴＶ用同軸ケーブルを中継線として前記同軸ケーブル敷設周辺の領域において、新たな無線セルを創出することが可能であるという作用を有する。
【００１１】
本発明の請求項３に記載の発明は、前記ＴＶ用同軸ケーブルにおいて、テレビ信号として使用されていない周波数領域、１１００ＭＨｚ以上の帯域において前記ＳＡＷデバイスによるＳＡＷコンボルバ方式にて、前記同軸ケーブルそれ自体が持つ伝送特性の伝送利得を高度に効率化し、おおよそ２０００ＭＨｚから、前記同軸ケーブルそれ自体に異なり２５００ＭＨｚ程度までの通信可能な伝送領域を確保する広域伝送通信システムを構築し、経費の掛かるあるいは、工事不可能なマンションやビル、病院、公共施設あるいは工場などにおいて、新たな広域伝送通信システムを経済的に構築することが可能となる作用を有する。
【００１２】
本発明の請求項４に記載の発明は、前記ＴＶ用同軸ケーブルにおいて、テレビ信号と新たに確保した新しい周波数領域をも含めて、一点を基点としたツリー構造上のケーブル網における伝送特性劣化を、前記ＳＡＷデバイスによるＳＡＷコンボルバ方式にて、前記同軸ケーブルそれ自体が持つ伝送特性の伝送利得を高度に効率化し、伝送劣化を極度に抑える広域伝送通信システムを構築する作用を有する。
【００１３】
［実施例］
図１はＴＶ用同軸ケーブルを敷設した構内通信回線に適用した本発明の第１の実施例に係る構内広域伝送通信システムの概略構成を示すブロック図である。図１において、符号１はＴＶアンテナ、２はＴＶ用同軸ケーブル、３はＴＶ接続端子、４はＴＶ（テレビ）、５はＳＡＷデバイスを搭載した広域伝送通信システム用アダプタ、６は５に接続される通信機能を搭載した電子通信機器である。５のＳＡＷデバイスを搭載した広域伝送通信システム用接続機器に接続される通信機能を搭載した電子通信機器相互の間においてＩＰパケット通信をはじめとするデータ通信が可能となる。
【００１４】
ＳＡＷデバイスを搭載した広域伝送通信システム用接続機器５のＳＡＷデバイスは、信号を受信する際の復調動作において、復調手順として図２に示すような動作を行う。すなわち、図２（ａ）において受信した信号７にたいして先ず相関操作を施して図２（ｂ）に示すように相関信号８を得る。この相関操作において、受信信号に含まれるノイズ等が抑制され且つ同軸の持つ伝送特性の拡大をも含めるプロセスゲインの向上が得られ、相関信号８は復調可能な信号となる。そして、この相関処理信号８を検波復調処理して図２（ｃ）に示すような検波信号を得る。
【００１５】
図３はＴＶ用同軸ケーブルを敷設した構内通信回線に適用した本発明の実施例に係る同軸ケーブルそれ自体が持つ伝送特性の伝送利得を高度に効率化し、おおよそ２０００ＭＨｚから、同軸ケーブルそれ自体に異なり２５００ＭＨｚ程度までの通信可能な伝送領域を確保する新たな伝送領域を確保するための概略構成を示す図である。
１０に示す周波数は、既存のＦＭからＴＶ（テレビ）のＢＳ、ＣＳの信号領域である。１１に示す周波数帯は、ＳＡＷデバイスによるＳＡＷコンボルバ方式にて、同軸ケーブルそれ自体が持つ伝送特性の伝送利得を高度に効率化し、おおよそ２０００ＭＨｚから、前記同軸ケーブルそれ自体に異なり２５００ＭＨｚ程度までの通信可能な伝送領域を確保する広域伝送通信システムを形成する周波数帯である。
【００１６】
［発明の効果］
以上説明したように、本発明はマンションやビル、病院、公共施設あるいは工場などにおいて、テレビアンテナとテレビの間に接続されたＴＶ用同軸ケーブルネットワーク上に、送信端末および受信端末を、１１００ＭＨｚを境にテレビ信号ゾーンと複合データ通信ゾーンに分割し、当該領域の処理に対してＳＡＷデバイスを介して接続し、送信端末においてＳＡＷコンボルバ方式によるスペクトル拡散処理を行い、ＴＶ用同軸ケーブルを使って一定の品質を保持しながらＴＶ信号と複合データ信号をあわせて送受信することができる。したがって、上記ＴＶ信号を受信し使用中であっても並行してデータの送受信伝送が可能である。これにより、マンションやビル、病院、公共施設あるいは工場などにおいて、新たに伝送用のケーブル敷設工事無く新しい伝送路、すなわち、広域伝送通信システムを経済的に構築することが可能となる。
【図面の簡単な説明】
【図１】本発明の第１の実施例に係るＴＶ用同軸ケーブルを活用した構内広域伝送通信システムの概略構成ブロック図である。
【図２】図１におけるシステム接続器に包含されているＳＡＷデバイスにおけるプロセスゲイン向上のための検波復調の流れを構成する機能図である。
【図３】伝送特性の伝送利得を高度に効率化し、おおよそ２０００ＭＨｚから２５００ＭＨｚ程度までの通信可能な新たな伝送領域を示す周波数構成図である。
【符号の説明】
１    ＴＶ（テレビ）アンテナ
２    ＴＶ用同軸ケーブル
３    ＴＶ接続端子
４    ＴＶ（テレビ）
５    ＳＡＷデバイス搭載の接続アダプタ
６    電子通信機器
７    ＳＡＷデバイス搭載の接続アダプタで受信した信号
８    前記の相関処理信号
９    検波復調した処理信号
１０  既存のＴＶ（テレビ）周波数帯域
１１  新たに確保された伝送用の周波数帯域
【図１】
2004312642.tif 000003
【図２】
2004312642.tif 000004
【図３】
2004312642.tif 000005